(57)【要約】【課題】ケース部を保護でき、また意匠を容易に変更できるコネクタを提供する。【解決手段】コネクタ１は、コネクタハウジング２とケース部３とカバー体４とを備えている。コネクタハウジング２は、端子金具を収容する。ケース部３は、コネクタハウジング２に連結され、コネクタハウジング２内の端子金具と接続された電線７の端部を内側に位置付ける。カバー体４は、一対のカバー４１、４２とロックアームとロック受け部６とを備えている。一対のカバー４１、４２は、ケース部３の外側に取り付けられ、互いに取り付けられてケース部３の外面３ｂを覆う。ロックアームは一方のカバー４１に設けられている。ロック受け部６は、他方のカバー４２に設けられ、ロックアーム４１と係合する。【選択図】図１
2010182471.tif 000002
【特許請求の範囲】
【請求項１】
端子金具を収容するコネクタハウジングと、
前記コネクタハウジングに連結され、前記コネクタハウジング内の前記端子金具と接続された電線の端部を内側に位置付けるケース部と、を備えたコネクタにおいて、
前記ケース部の外側に取り付けられて、当該ケース部の外面を覆うカバー体を備えたことを特徴とするコネクタ。
【請求項２】
前記カバー体が、互いに取り付けられて前記ケース部の外面を覆う一対のカバーと、前記一対のカバーのうち一方のカバーに設けられたロック部と、他方のカバーに設けられかつ前記ロック部と係合可能なロック受け部と、を備えたことを特徴とする請求項１に記載のコネクタ。
【請求項３】
前記カバー体と前記ケース部とを相対的に位置決めする位置決め手段を備えたことを特徴とする請求項１または請求項２に記載のコネクタ。
【発明の詳細な説明】
【技術分野】
【０００１】
本発明は、端子金具を収容するコネクタハウジングと、当該コネクタハウジングに連結されかつこのコネクタハウジング内の端子金具と接続された電線の端部を内側に位置付けるケース部とを備えたコネクタに関し、例えば電気自動車やプラグインハイブリッド車等の自動車内の電源装置と接続された受電コネクタと嵌合するコネクタに関する。
【背景技術】
【０００２】
電気自動車やプラグインハイブリッド車等の電動機の駆動力で走行する自動車には、複数の電池等を備えた電源装置が搭載されており、電気エネルギーの蓄積及び放出を担っている。このような電源装置を充電するために、前記自動車の車体には受電コネクタが設けられている。この受電コネクタと、充電器や家庭用電源と電線を介して接続されたコネクタとしての給電コネクタ（例えば、特許文献１ないし３参照）とを互いに嵌合させて、電源装置の充電を行っている。
【０００３】
給電コネクタは、端子金具を収容するコネクタハウジングと、当該コネクタハウジングに連結されかつこのコネクタハウジング内の端子金具と接続された電線の端部を内側に位置付けるケース部とを備えている。ケース部は、絶縁性の合成樹脂で構成された一対のケースを別体で備えている。
【０００４】
一対のケースは、互いに略鏡像対称に形成されている。一対のケースは、互いの間にコネクタハウジングの一端側を挟んだ状態で各ケースの端面同士が互いに重ねられて、ケース部として組み立てられる。また、各ケースには、ケース部が組み立てられると互いに連通するボルト孔が設けられている。これらボルト孔に通されたボルト及びナットによって、一対のケースは互いに取り付けられている。
【０００５】
前記自動車を充電する際には、給電コネクタのケース部を掴んで当該給電コネクタを前記自動車の受電コネクタに近づけ、給電コネクタと受電コネクタとを互いに嵌合させる。そして、充電が終了した後には、再び給電コネクタのケース部を掴んで当該給電コネクタと受電コネクタとの嵌合を解除し、給電コネクタを受電コネクタ即ち前記自動車から遠ざける。
【先行技術文献】
【特許文献】
【０００６】
【特許文献１】特開平９−１６１８８２号公報
【特許文献２】特開平９−１６１８８４号公報
【特許文献３】特開平９−１６１８９８号公報
【発明の概要】
【発明が解決しようとする課題】
【０００７】
前述した給電コネクタは、受電コネクタとの嵌合作業、嵌合解除作業が頻繁に行われるので、例えば作業中に落下してケース部が破損したり、長期間に亘る使用によってケース部が汚れたりすることがある。しかしながら、ケース部はアッセンブリーされた給電コネクタの一部品であり、ケース部を分解するとケース部内の電線が露出したりケース部からコネクタハウジングが外れたりするのでユーザが簡単にケース部を取り替えることができず、給電コネクタ全体を取り替える必要があるのでコストがかかるといった問題があった。また、ケース部は、一対のケースがボルト及びナットによって取り付けられているが、ボルトやナットがケース外面に露出しているのでユーザが簡単に分解することができ、安全上問題があった。
【０００８】
また、ケース部は充電中でも外部に露出されて人目に触れる機会が多いので、意匠性を向上させることが望まれている。しかし、例えばケース部の外面に塗装等によって模様を描くと、前述したケース部の落下や長期間の使用等によって塗装が剥がれやすく、また、塗装が剥がれた際に前述のようにケース部を簡単に取り替えることができない。そこで、ケース部を構成する樹脂の色を一様に変化させたり、異なる色の樹脂を複数使用して模様を描いたりすることが考えられるが、樹脂の色が限定されるので意匠の変化に乏しいといった問題がった。
【０００９】
本発明は、このような問題を解決することを目的としている。即ち、本発明は、ケース部を保護でき、また意匠を容易に変更できるコネクタを提供することを目的としている。
【課題を解決するための手段】
【００１０】
前記課題を解決し目的を達成するために、請求項１に記載された発明は、端子金具を収容するコネクタハウジングと、前記コネクタハウジングに連結され、前記コネクタハウジング内の前記端子金具と接続された電線の端部を内側に位置付けるケース部と、を備えたコネクタにおいて、前記ケース部の外側に取り付けられて、当該ケース部の外面を覆うカバー体を備えたことを特徴としたコネクタである。
【００１１】
請求項２に記載された発明は、請求項１に記載されたコネクタにおいて、前記カバー体が、互いに取り付けられて前記ケース部の外面を覆う一対のカバーと、前記一対のカバーのうち一方のカバーに設けられたロック部と、他方のカバーに設けられかつ前記ロック部と係合可能なロック受け部と、を備えたことを特徴としたコネクタである。
【００１２】
請求項３に記載された発明は、請求項１または請求項２に記載されたコネクタにおいて、前記カバー体と前記ケース部とを相対的に位置決めする位置決め手段を備えたことを特徴としたコネクタである。
【発明の効果】
【００１３】
請求項１に記載された発明によれば、カバー体がケース部を覆うので、ケース部よりも先にカバー体が破損したり汚れたりしてケース部を破損や汚れから保護できる。また、カバー体が破損したり汚れたりした際にはカバー体のみを取り替えればよく、取替時のコストを低減できる。また、カバー体がケース部を覆うので、ユーザはケース部を簡単に分解等することができず、安全性を向上させることができる。さらに、カバー体を取り替えることによってケース部の意匠を簡単に変更することができ、ケース部即ちコネクタの意匠性を向上させることができる。
【００１４】
請求項２に記載された発明によれば、ロック部とロック受け部とが互いに係合することによって、一対のカバーが互いに取り付けられてカバー体がケース部に取り付けられる。このため、ボルトやナット等の別部材や治具等を用いることなくカバー体をケース部に簡単に取り付けることができる。
【００１５】
請求項３に記載された発明によれば、位置決め手段によってカバー体とケース部とを相対的に位置決めできる。このため、ケース部の所定位置にカバー体を簡単かつ確実に取り付けることができる。
【図面の簡単な説明】
【００１６】
【図１】本発明の一実施形態にかかるコネクタの分解斜視図である。
【図２】図１に示されたコネクタが組み立てられた状態を示す斜視図である。
【図３】図１中のＩＩＩ−ＩＩＩ線に沿った断面図である。
【図４】（ａ）図１中のＩＶ−ＩＶ線に沿った断面図である。（ｂ）図４（ａ）に示されたロックアームとロック受け部とが係合した状態を示す断面図である。
【発明を実施するための形態】
【００１７】
以下、本発明の一実施形態にかかるコネクタ１を図１ないし図４を参照して説明する。本発明の一実施形態にかかるコネクタ１は、充電用コードの一端に設けられた給電コネクタであり、電気自動車やプラグインハイブリッド車等の自動車内の電源装置と接続された受電コネクタと嵌合する。コネクタ１は、図１等に示すように、コネクタハウジング２と、ケース部３と、ロックレバー３６と、電線導出部３７と、カバー体４とを備えている。
【００１８】
コネクタハウジング２は、絶縁性の合成樹脂で構成され、複数の端子収容部２１ａ、２１ｂ、２１ｃとフード部２２を一体に備えている。各端子収容部２１ａ、２１ｂ、２１ｃは、円筒状に形成され、互いに間隔をあけて互いに平行に設けられている。各端子収容部２１ａ、２１ｂ、２１ｃの内側は、１つの端子金具を収容する端子収容室とされている。各端子収容室は、直線孔状に形成され、互いに平行に設けられている。
【００１９】
各端子収容部２１ａ、２１ｂ、２１ｃは、収容する端子金具の大きさ（外径）に合わせた内外径に形成されている。端子収容部２１ａは、複数の端子収容部２１ａ、２１ｂ、２１ｃのうち最も受電コネクタに向かって突出して設けられ、接地用の端子金具を収容している。このため、コネクタ１と受電コネクタとを近づけていくと、まず接地用の端子金具同士が互いに接続し、続いて他の端子金具同士が互いに接続する。端子収容部２１ｂは、端子収容部２１ａより僅かに大きな外径に形成され、充電用の端子金具を収容している。端子収容部２１ｃは、複数の端子収容部２１ａ、２１ｂよりも小さな外径に形成され、信号用の端子金具を収容している。
【００２０】
前述した各端子金具は、所謂雌型の端子金具であり、導電性の板金にプレス加工が施されて形成されている。端子金具は、電気接触部と電線接続部とを一体に備えている。電気接触部は、コネクタ１が受電コネクタと嵌合すると受電コネクタの対応する端子金具と電気的かつ機械的に接続する。電線接続部には、各端子金具に対応する電線７が電気的かつ機械的に接続されている。
【００２１】
電線７は、所謂被覆電線であり、導電性の芯線と絶縁性の被覆部とを備えている。電線７は、各端子金具に対応して複数設けられている。これら電線７のコネクタ１外に導出される部分には、電線プロテクタ７ａが取り付けられている。電線プロテクタ７ａは、ゴムやエラストマー等の絶縁性及び弾性を有した材料で構成され、長尺筒状に形成されている。電線７の一端は端子金具と接続され、他端は充電器や家庭用電源に接続されるプラグと接続されている。
【００２２】
フード部２２は、円筒状に形成され、複数の端子収容部２１ａ、２１ｂ、２１ｃを内側に収容している。フード部２２は、中心軸方向中央の内面が各端子収容部２１ａ、２１ｂ、２１ｃの中心軸方向中央の外面と連なって、端子収容部２１ａ、２１ｂ、２１ｃと一体に形成されている。フード部２２の一方の開口２２ａ側はケース部３外に位置付けられ、他方の開口側はケース部３内に位置付けられている。
【００２３】
この開口２２ａ側では、フード部２２の内面は各端子収容部２１ａ、２１ｂ、２１ｃの外面と間隔をあけており、この開口２２ａ側で受電コネクタと嵌合する。開口２２ａ側のフード部２２には、受電コネクタのコネクタハウジングと係合する係合部２３が設けられている。
【００２４】
また、この開口２２ａ側では、フード部２２の中心軸方向の長さは、端子収容部２１ａと相対する部分が最も長く形成され、端子収容部２１ａと相対する部分から離れるにしたがって徐々に短くなるように形成されている。さらに、このフード部２２の長く形成された部分の外面には、フード部２２の中心軸方向に沿って延びた、受電コネクタとの位置決めのためのリブ２４が設けられている。
【００２５】
ケース部３は、絶縁性の合成樹脂で構成された一対のケース３１、３２を別体で備えている。一対のケース３１、３２は、互いに略鏡像対称に形成され、それぞれ略Ｌ字状に屈曲した樋形状に形成されている。一対のケース３１、３２は、一方のケース３１の幅方向両端面と他方のケース３２の幅方向両端面とが互いに重ねられて、略Ｌ字状に屈曲した筒状のケース部３として組み立てられる。
【００２６】
前述したケース部３は、長手方向一端３ａ側の開口を塞ぐように当該開口内にコネクタハウジング２とロックレバー３６とを位置付ける。また、ケース部３は、長手方向他端３ｃ側の開口を塞ぐように当該開口内に電線導出部３７を位置付ける。各ケース３１、３２の長手方向両端側の内面３１ａ、３２ａには、周方向に沿ったリブが形成されている。また、コネクタハウジング２のフード部２２の中心軸方向中央の外面には周方向に沿った溝が形成され、電線導出部３７の端部の外面には周方向に沿った溝が形成されている。そして、リブを各溝内に位置付けて、各ケース３１、３２の長手方向一端側の間にコネクタハウジング２を挟み、かつ各ケース３１、３２の他端側の間に電線導出部３７を挟むようにしてケース部３を組み立てる。こうして、ケース部３は、長手方向一端３ａ側でコネクタハウジング２に連結され、他端３ｃ側で電線導出部３７と連結される。
【００２７】
このように組み立てられたケース部３は、長手方向一端３ａ側の開口からコネクタハウジング２内の端子金具と接続された電線７をケース部３内に導入するとともに、他端３ｃ側の開口から電線導出部３７を介して電線７をケース部３外に導出する。このように、ケース部３は、電線７の端部を内側に位置付ける。
【００２８】
さらに、ケース部３には、図１及び図３に示すように、組み立てられたケース部３をボルト留めするためのボルト孔３３が複数設けられている。ボルト孔３３は、一方のケース３１の他方のケース３２と重なる両端面それぞれの近傍と、他方のケース３２の一方のケース３１と重なる両端面それぞれの近傍とに設けられている。ボルト孔３３は、ケース３１、３２の外壁を貫通している。ボルト孔３３は、ケース部３が組み立てられたときに各ケース３１、３２のボルト孔３３同士が互いに連通可能な位置に設けられている。
【００２９】
ボルト孔３３は、図３に示すように、互いに同軸的に連なった小径孔３３ａと大径孔３３ｂとを備えている。これら小径孔３３ａと大径孔３３ｂは、平面形状が円形に形成されている。小径孔３３ａは、各ケース３１、３２の内面３１ａ、３２ａ側に形成され、ボルト８３の軸部８３ａの外径よりも大きくかつ頭部８３ｂ（またはナット８４）の外径よりも小さな内径に形成されている。大径孔３３ｂは、各ケース３１、３２の外面３１ｂ、３２ｂ側に形成され、小径孔３３ａの内径及びボルト８３の頭部８３ｂ（またはナット８４）の外径よりも大きな内径に形成されている。
【００３０】
ケース部３が組み立てられると、各ケース３１、３２のボルト孔３３、３３が互いに連通する。そして、互いに連通したボルト孔３３、３３の一方側からボルト８３の軸部８３ａを通し、他方側に突出した軸部８３ａにナット８４をねじ込んで、組み立てられたケース部３をボルト留めする。ボルト８３の頭部８３ｂ（またはナット８４）が位置付けられた大径孔３３ｂの残りのスペースには、カバー体４の後述する位置決めボス４４（図３中、一点鎖線で示す）が進入する。
【００３１】
ロックレバー３６は、絶縁性の合成樹脂で構成され、棒状に形成されている。図１に示すように、ロックレバー３６の長手方向一端には、受電コネクタのコネクタハウジングと係合するロック突部３６ａが設けられている。また、ロックレバー３６の長手方向他端には、当該ロックレバー３６を操作するためのロックボタン３６ｂが設けられている。
【００３２】
前述したロックレバー３６は、ロック突部３６ａがケース部３の長手方向一端３ａ側の開口からケース部３外に位置付けられ、ロックボタン３６ｂがケース部３の長手方向中央の開口からケース部３外に位置付けられた状態で、長手方向中央を中心として回動自在にケース３１、３２に支持されて、ケース部３内に収容されている。また、ロックレバー３６の長手方向他端側はコイルばね等によってケース部３の外側に向かって付勢され、前述したロック突部３６ａはケース部３の内側に向かって付勢されている。
【００３３】
電線導出部３７は、ゴムやエラストマー等の絶縁性及び弾性を有した材料で構成され、中心軸方向一端から他端にいくにしたがって内外径が徐々に縮小した略円筒状に形成されている。電線導出部３７は、ケース部３の長手方向他端３ｃに取り付けられる。電線導出部３７は、電線７の電線プロテクタ７ａが取り付けられた部分を内側に通して、電線７をケース部３外に導出する。
【００３４】
カバー体４は、絶縁性の合成樹脂で構成され、図１等に示すように、一対のカバー４１、４２と、ロック部としてのロックアーム５（図４）と、ロック受け部６と、位置決めボス４４とを備えている。
【００３５】
一対のカバー４１、４２は、互いに略鏡像対称に形成され、それぞれ略Ｌ字状に屈曲した樋形状に形成されている。一方のカバー４１は、内面形状が一方のケース３１の外面形状と略等しく形成され、一方のケース３１の外面全体を覆う大きさ及び形状に形成されている。他方のカバー４２は、内面形状が他方のケース３２の外面形状と略等しく形成され、他方のケース３２の外面全体を覆う大きさ及び形状に形成されている。また、各カバー４１、４２の互いに重なる端面４１ｃ、４２ｃには、カバー体４が組み立てられると互いに連通してロックレバー３６のロックボタン３６ｂを内側に通す孔を形成する切り欠き４３が設けられている。
【００３６】
前述した一対のカバー４１、４２は、一方のカバー４１の内面４１ａが一方のケース３１の外面３１ｂを覆うように一方のケース３１の外側に取り付けられ、他方のカバー４２の内面４２ａが他方のケース３２の外面３２ｂを覆うように他方のケース３２の外側に取り付けられる。そして、一対のカバー４１、４２は、一方のカバー４１の幅方向両端面４１ｃ、４１ｃと他方のカバー４２の幅方向両端面４２ｃ、４２ｃとが互いに重ねられて、略Ｌ字状に屈曲した筒状のカバー体４として組み立てられる。
【００３７】
こうして、カバー体４がケース部３の外側に取り付けられて、ケース部３の外面３ｂを覆う。カバー体４が組み立てられる（取り外される）ときに一対のカバー４１、４２が相対的に接離する（近づいたり離れたりする）方向を矢印Ａで示し、取付方向Ａと呼ぶ。
【００３８】
ロックアーム５は、一方のカバー４１の両端面４１ｃ、４１ｃそれぞれの近傍に設けられている。ロックアーム５は、図１に示す他方のカバー４２のロック受け部６に対応する位置に設けられ、複数設けられている（図４に１つのみ図示する）。ロックアーム５は、アーム本体５１とロック突起５２とを備えている。
【００３９】
アーム本体５１は、取付方向Ａに沿って延びた短帯状に形成され、長手方向一端が一方のカバー４１の内面４１ａに連なり、他端が前記一端よりも他方のカバー４２寄りに配されて自由端となっている。アーム本体５１は、カバー体４の外側（図４中、上方）に近づく方向に弾性変形自在に設けられている。
【００４０】
ロック突起５２は、アーム本体５１のカバー体４の内側寄りの外面から突出している。ロック突起５２には、テーパ面５２ａと係止面５２ｂとが設けられている。テーパ面５２ａは、ロック突起５２の他方のカバー４２と相対する側に形成され、他方のカバー４２に近づくにしたがって徐々にアーム本体５１の外面に近づくように取付方向Ａに対して傾斜している。係止面５２ｂは、ロック突起５２の他方のカバー４２から離れた側に形成され、取付方向Ａに直交する方向に沿って平坦に形成されている。
【００４１】
ロック受け部６は、図１及び図４に示すように、他方のカバー４２の両端面４２ｃ、４２ｃそれぞれの近傍に設けられ、複数設けられている。ロック受け部６は、カバー体４が組み立てられたときにロックアーム５と重なる位置に設けられている。ロック受け部６は、ロックアーム５と係合可能である。ロック受け部６は、他方のカバー４２の内面４２ａから立設した一対の立設片６１、６１と、これら立設片６１、６１の先端同士を互いに連結する連結片６２とを備え、コ字状に形成されている。
【００４２】
一対の立設片６１、６１は、それぞれ、矩形平板状に形成され、取付方向Ａに沿って配されている。また、一対の立設片６１、６１は、取付方向Ａに直交する方向に沿って並んで設けられ、アーム本体５１の幅よりも大きな間隔をあけて相対している。
【００４３】
連結片６２は、矩形平板状に形成され、他方のカバー４２の内面４２ａと間隔をあけている。この間隔は、中立状態（弾性変形していない状態）のアーム本体５１を位置付けることができ、かつアーム本体５１が中立状態のときにロック突起５２を通さないような大きさとされている。また、連結片６２の一方のカバー４１から離れた端面６２ａは、取付方向Ａに直交する方向に沿って平坦に形成されている。
【００４４】
前述したロックアーム５とロック受け部６は、図４（ａ）に示す状態から一対のカバー４１、４２を互いに近づけていくと、ロックアーム５のロック突起５２がロック受け部６内に進入していき、ロック突起５２のテーパ面５２ａがロック受け部６の連結片６２と当接する。その後、テーパ面５２ａによってアーム本体５１がカバー体４の外側に向かって弾性変形し、ロック突起５２が連結片６２の内面上を摺動しながらロック受け部６内にさらに進入していく。
【００４５】
そして、図４（ｂ）に示すように、ロック突起５２がロック受け部６内を通り抜けてロック受け部６外に位置付けられると、アーム本体５１が弾性復元してロック突起５２の係止面５２ｂと連結片６２の端面６２ａとが互いに係止する。こうして、ロックアーム５とロック受け部６とが互いに係合し、一対のカバー４１、４２が互いに取り付けられる。
【００４６】
位置決めボス４４は、図１に示すように、各カバー４１、４２の前述した両端面４１ｃ、４１ｃ、４２ｃ、４２ｃそれぞれの近傍に設けられ（図１にはカバー４２の位置決めボス４４のみ示す）、前述したケース部３のボルト孔３３に対応する位置に設けられて、複数設けられている。位置決めボス４４は、各カバー４１、４２の内面４１ａ、４２ａから取付方向Ａに沿ってカバー４１、４２の内側に向かって突出している。位置決めボス４４は、円柱状に形成され、ボルト孔３３の大径孔３３ｂの内径よりも小さな外径に形成されている。
【００４７】
前述した位置決めボス４４は、各カバー４１、４２をケース部３に近づけていくと、図３に示すように対応するボルト孔３３内に進入してそれぞれのカバー４１、４２（即ちカバー体４）とケース部３とを相対的に位置決めする。このように、ボルト孔３３と位置決めボス４４とは、特許請求の範囲に記載の位置決め手段をなしている。
【００４８】
前述した構成のコネクタ１を組み立てる際には、まず、電線プロテクタ７ａが取り付けられた電線７を電線導出部３７内に通しておき、各電線７の端部を端子金具と接続する。そして、これら端子金具を対応する端子収容部２１ａ、２１ｂ、２１ｃの端子収容室内に挿入してコネクタハウジング２内に収容する。
【００４９】
次いで、各ケース３１、３２の長手方向一端側の間にコネクタハウジング２を挟み、他端側の間に電線導出部３７を挟むようにしてケース部３を組み立てて、ケース部３内に電線７の端部を位置付ける。そして、組み立てられたケース部３を前述のようにボルト留めする。
【００５０】
その後、図１に示すように、一方のケース３１側に一方のカバー４１を配し、他方のケース３２側に他方のカバー４２を配して、これらカバー４１、４２を取付方向Ａに沿って互いに近づけていく。すると、各カバー４１、４２の位置決めボス４４が対応するケース３１、３２のボルト孔３３内に進入して、各カバー４１、４２が対応するケース３１、３２の外面３１ｂ、３２ｂを覆う所定位置に位置付けられる。
【００５１】
そして、さらに各カバー４１、４２を互いに近づけていくと、前述のようにロックアーム５とロック受け部６とが互いに係合して、一対のカバー４１、４２が互いに取り付けられ、カバー体４がケース部３を覆うように当該ケース部３の外側に取り付けられる。こうして、図２に示すコネクタ１が組み立てられる。ユーザは、このコネクタ１のカバー体４部分を掴んで、受電コネクタとの嵌合作業を行い前記自動車の電源装置を充電する。
【００５２】
本実施形態によれば、カバー体４がケース部３を覆うので、ケース部３よりも先にカバー体４が破損したり汚れたりして、ケース部３を破損や汚れから保護できる。また、カバー体４が破損したり汚れたりした際にはカバー体４のみを取り替えればよく、取替時のコストを低減できる。また、カバー体４がケース部３を覆うのでユーザはボルト留めされたケース部３を簡単に分解等することができず、安全性を向上させることができる。さらに、カバー体４を取り替えることによってケース部３の意匠を簡単に変更することができ、ケース部３即ちコネクタ１の意匠性を向上させることができる。
【００５３】
また、ロックアーム５とロック受け部６とが互いに係合することによって、一対のカバー４１、４２が互いに取り付けられてカバー体４がケース部３に取り付けられる。このため、ボルト８３やナット８４等の別部材や治具等を用いることなくカバー体４をケース部３に簡単に取り付けることができる。
【００５４】
また、各カバー４１、４２の位置決めボス４４を対応するケース３１、３２のボルト孔３３に通すことによって、カバー４１、４２（即ちカバー体４）とケース部３とを相対的に位置決めできる。このため、ケース部３の所定位置にカバー体４を簡単かつ確実に取り付けることができる。
【００５５】
前述した実施形態においては、コネクタ１は給電コネクタであったが、給電コネクタ以外のコネクタであっても勿論よい。また、前述した実施形態においては、ロック部としてのロックアーム５とロック受け部６とが係合していたが、ロック部とロック受け部は互いに係合可能であればどんな形状であってもよい。また、前述した実施形態においては、ボルト孔３３が位置決め用の孔として機能していたが、ケース部３に別途位置決めボス４４の進入する孔を設けてもよい。
【００５６】
また、前述した実施形態は本発明の代表的な形態を示したに過ぎず、本発明は、前述した実施形態に限定されるものではない。即ち、本発明の骨子を逸脱しない範囲で種々変形して実施することができる。
【符号の説明】
【００５７】
１    コネクタ
２    コネクタハウジング
３    ケース部
３ｂ    外面
４    カバー体
５    ロックアーム（ロック部）
６    ロック受け部
７    電線
３３    ボルト孔（位置決め手段）
４１    一方のカバー
４２    他方のカバー
４４    位置決めボス（位置決め手段）
【図１】
2010182471.tif 000003
【図２】
2010182471.tif 000004
【図３】
2010182471.tif 000005
【図４】
2010182471.tif 000006